(57)【要約】      （修正有）【課題】刻々と移動する台風または低気圧からの風に対し、個々の施設や家屋のどの方向から吹いてくるかを各人で予測できる風向早見盤を提供する。【解決手段】北半球用は、直下におかれた地図などが透けて見える透明なシート１または薄板の表面には、台風の中心に向かって吹き込む風の方向を示す左回り渦状の風向線２と矢印２ａが描かれている。前記中心で直交する横線３，縦線４が描かれており、横線の右左端に各々東西の文字またはＥ，Ｗなどの文字が、縦線の下，上端に各々南，北の文字またはＳ，Ｎなどの文字が付されている。また、南半球用は、右回り渦状の風向線と矢印が描かれている。【選択図】図１
0003135722.tif 000002
【実用新案登録請求の範囲】
【請求項１】
直下におかれた地図などが透けて見える透明なシートまたは薄板の表面には、台風または低気圧の中心に向かって吹き込む風の方向を示す左回り渦状の風向線と矢印が描かれており、前記中心で直交する横線，縦線が描かれており、横線の右左端に各々東西の文字またはＥ，Ｗなどの文字が、縦線の下，上端に各々南，北の文字またはＳ，Ｎなどの文字が付されていることを特徴とする風向早見盤。
【請求項２】
直下におかれた地図などが透けて見える透明なシートまたは薄板の表面には、台風または低気圧の中心に向かって吹き込む風の方向を示す右回り渦状の風向線と矢印が描かれており、前記中心で直交する横線，縦線が描かれており、横線の右左端に各々東西の文字またはＥ，Ｗなどの文字が、縦線の下，上端に各々南，北の文字またはＳ，Ｎなどの文字が付されていることを特徴とする風向早見盤。
【考案の詳細な説明】
【技術分野】
【０００１】
本考案は、風向早見盤に関するものである。
【背景技術】
【０００２】
台風または低気圧については、いろいろな報道機関から主にその進路や強さ，雨量などの予測が伝えられてくる。台風または低気圧がいよいよ近づいてくると注意報や警報等が出され、さらに危険地域の自治体では非難勧告や避難命令等が出される。住民はそれらを基に個々に台風から施設や家屋を守るため、各機関からの情報を基にそれに対する対策を練り、努力がなされる。その場合、個々の施設や家屋などには、どの方向から風が吹いてくるかを予測し、その方面の補強をすることが、被害を最小限に止めるための一番の肝要なことになる。
【非特許文献１】村山貢司著「台風入門」  山と渓谷社発行  Ｈ１７年８月１日
【非特許文献２】渡辺博栄著「台風」  数研出版株式会社発行  Ｈ１８年７月１０日
【考案の開示】
【考案が解決しようとする課題】
【０００３】
ところがこのような一番の必要な情報は極めて少ない。刻々と移動する台風または低気圧から風向の予測は、地形（海，湖，河川，山，斜面に沿った土地・高層ビルや高い施設のある周辺など）によって異なってくる。このような局地風の予測は困難で一般的な報道は誤判を招く心配がある。
【０００４】
そこで本考案は、刻々と移動する台風または低気圧からの風に対し、個々の施設や家屋のどの方向から吹いてくるかを各人で予測できる風向早見盤を提供することを目的とする。
【課題を解決するための手段】
【０００５】
本考案の第１課題解決手段は、北半球において使われるものであって、直下におかれた地図などが透けて見える透明なシートまたは薄板の表面には、台風または低気圧の中心に向かって吹き込む風の方向を示す左回り渦状の風向線と矢印が描かれており、前記中心で直交する横線，縦線が描かれており、横線の右左端に各々東西の文字またはＥ，Ｗなどの文字が、縦線の下，上端に各々南，北の文字またはＳ，Ｎなどの文字が付されていることである。
【０００６】
本考案の第２課題解決手段は、南半球において使われるものであって、直下におかれた地図などが透けて見える透明なシートまたは薄板の表面には、台風または低気圧の中心に向かって吹き込む風の方向を示す右回り渦状の風向線と矢印が描かれており、前記中心で直交する横線，縦線が描かれており、横線の右左端に各々東西の文字またはＥ，Ｗなどの文字が、縦線の下，上端に各々南，北の文字またはＳ，Ｎなどの文字が付されていることである。
【考案の効果】
【０００７】
本考案により、刻々移動して行く台風または低気圧の動きによって変わる風向をいち早く予測して、家屋や施設に当たる風の方向を判断し、その対策を立てる手助けになるよう利用すれば、風の被害を最小限にすることが出来る。
【０００８】
また、小・中・高校生の教材の補助として利用したり、その風向の予測を子供を交えて家族みんなで考えれば、子供が気象に興味関心を持つ一助となることが出来る。
【考案を実施するための最良の形態】
【０００９】
以下本考案の実施例を図面に基づき説明する。
本考案の大要は、風向早見盤の直下に挿入する地図等が透けて見える透明度の高い用紙・板の表面に、台風または低気圧の中心に向かって吹き込むかぜの流れの方向（北半球では反時計回り、南半球では時計回りの方向）と、東西南北の記号・東西，南北を結ぶ線を記入したものである。
【００１０】
以下、本考案の一実施例を図面に基づき説明する。図１は、風向早見盤の平面図である。１は、直下におかれた地図などが透けて見える透明なシート（用紙，プラスチックシートなど）または薄板（プラスチックなど）である。この透明な用紙または薄板の表面には、台風の中心Ｏに向かって吹き込む風の方向を示す風向線２と矢印２ａが描かれている。北半球では反時計回りの左回り渦状である。
【００１１】
また、前記中心Ｏで直交する横線３，縦線４が描かれており、横線３の右左端に各々東西の文字またはＥ，Ｗなどの文字５ａ，５ｂが、縦線の下，上端に各々南，北の文字またはＳ，Ｎなどの文字６ａ，６ｂが付されている。
【００１２】
図２は南半球用の風向早見盤であって、南半球では風向線２は、時計回りの右回り渦状である。使い方は北半球用の風向早見盤の使い方と同じである。
【００１３】
次に上記図１の北半球用の風向早見盤の使い方を説明する。
（１）図３において、台風（低気圧）が接近して来たら、新聞等の台風の発生地点や進路図を地図の表面に記入し、その上に風向早見盤を置き、台風の中心部と風向早見盤の中心点Ｏを合わせる。
（２）地図の北の方角と風向早見盤の北の方角を合わせる。
（３）この状態において、風の吹いてくる方角は、風向早見盤の風向線２と矢印２ａで表される。
（４）図４、図５において、台風が県（鹿児島）や地域（鹿児島市）に近づいたとき、風向を示す風向線２の中に地域や家屋・施設が入らないときは、風向線２に沿って点線のように線を伸ばし、風の吹いてくる方角を予測する。
（５）地形によって風の方向や強さが異なってくる（局地風）ので、平常の風向きや強さなど観察しておき、判断のときに活用する。地域の地図や広域地図など準備しておくと便利である。それぞれの地図に記入してある縮尺を使って台風との距離も調べることも良いことである。
【００１４】
なお、高気圧の風向を知りたいときは、前記シートを裏返して、かつ、矢印を逆として、中心Ｏから離れる向きの風向線を使用する。
【００１５】
本考案は前記した実施例や実施態様に限定されず、実用新案登録請求の範囲および範囲を逸脱せずに種々の変形を含む。
【産業上の利用可能性】
【００１６】
本考案は台風・低気圧等の風向きを予測する早見盤に利用できる。
【図面の簡単な説明】
【００１７】
【図１】本考案に係る風向早見盤（北半球用）の実施例の平面図である。
【図２】本考案に係る風向早見盤（南半球用）の他の実施例の平面図である。
【図３】日本のまわりの地図による使用説明図である。
【図４】九州地区の地図による使用説明図である。
【図５】鹿児島市の一部と鹿児島湾を含む地図による使用説明図である。
【符号の説明】
【００１８】
１  透明薄板
２  風向線
２ａ  矢印
３  横線
４  縦線
５ａ  Ｅ（東）の文字
５ｂ  Ｗ（西）の文字
６ａ  Ｓ（南）の文字
６ｂ  Ｎ（北）の文字
【図１】
0003135722.tif 000003
【図２】
0003135722.tif 000004
【図３】
0003135722.tif 000005
【図４】
0003135722.tif 000006
【図５】
0003135722.tif 000007